(57)【要約】      （修正有）【課題】１台のセンターポンチに対し、取外し可能なセンター決めスリーブをセンターポンチの先端に備え、安価なセンター決めスリーブのみを取替える構造としたセンター決め部品及びこれらを装着したセンターポンチ又は自動センターポンチを提供する。【解決手段】センターポンチ又は自動センターポンチに用いられるセンター決め部品であって、センター決め部品は、異なる外径を有するものと交換可能なセンター決めスリーブ１と、スプリング機構１２とからなり、スプリング機構は、可動リング２及び固定側リング３と、可動リングと固定側リングとの間に挟み込まれたスプリング４とで構成され、センター決めスリーブが、可動リングに隣接して備えられている。【選択図】図１
0003184200.tif 000002
【実用新案登録請求の範囲】
【請求項１】
異なる外径を有するものと交換可能なセンター決めスリーブとスプリング機構とでなるセンター決め部品。
【請求項２】
先端部分に請求項１のセンター決め部品を装着したセンターポンチ又は自動センターポンチ。
【考案の詳細な説明】
【技術分野】
【０００１】
本考案は例えば壁等の被取付物体に、手摺の受け金等の取付物体をネジ等で取付ける際に取付物体の取付穴の中心にある被取付物体に打痕を付与するセンターポンチ及びそのセンター決め部品に関するものである。
【背景技術】
【０００２】
従来この種のセンターポンチとしては特許２６０１４００号公報や実開昭５８−８５８０号公報に示すように、位置決め部材や案内金によって穴の中心にポンチを打刻できるように構成したものが知られている。
【先行技術文献】
【特許文献】
【０００３】
【特許文献１】特許２６０１４００号公報
【特許文献２】実開昭５８−８５８０号公報
【考案の概要】
【考案が解決しようとする課題】
【０００４】
しかしながら、取付物体を被取付物体に取付ける際に、取付物体のネジ等の取付穴の中心にセンターポンチで打痕を打つ場合、ネジ等の取付穴の大きさや深さが違ったりした場合に、従来知られているセンターポンチの構造ではセンターポンチ全体を取替える必要があったり、また、取付物体のネジ等の取付穴の一角を構成する皿穴の傾斜面が無い場合には適合しなかったり、高価なセンターポンチの必要台数が増えるという問題があった。
【課題を解決するための手段】
【０００５】
本考案の工具はこのような問題を解決することを目的とするもので、１台のセンターポンチに対し、取外し可能なセンター決めスリーブをセンターポンチの先端に備え、安価なセンター決めスリーブのみを取替える構造となすものである。センター決めスリーブは各種の取付物体の取付穴に適合するように各種取り揃えればよく、安価なのでたやすく用意可能である。
【考案の効果】
【０００６】
本考案の工具は上述の如く、１台のセンターポンチに対し、取外し可能なセンタ決めスリーブをセンターポンチの先端に備え、安価なセンター決めスリーブのみを取替える構造となすものであり、作業上取扱い易く、経済的効果もある。
【０００７】
又、センター決め部品全体は、ポンチ又は自動ポンチ本体との着脱を可能とすれば既存のポンチ又は自動ポンチ本体に、センター決め部品全体を追加するだけで、全体としてのポンチ又は自動ポンチがセンターポンチ機能を有するようになるため経済的である。その場合、可動リングと固定側リングとを磁化するのが望ましく、例えば可動リングと固定側リングとを磁化すれば、全体としてのセンターポンチ又は自動センターポンチの先端を上下左右どの方向に向かせても、センターポンチ又は自動センターポンチ本体から、センター決め部品全体が抜け落ちる可能性が非常に少ないので作業性が向上する。
【図面の簡単な説明】
【０００８】
【図１】本考案の一実施例の全体図である。
【図２】図１で示す実施例のセンター決めスリーブ及びポンチ先端棒の先端部分の断面図である。
【図３】図２で示すＡ−Ａ矢視に沿う矢視図である。
【図４】図１で示す実施例のセンターポンチ又は自動センターポンチの全体図である。
【図５】本考案の他の実施例のセンターポンチ又は自動センターポンチの全体図である。
【図６】図４及び図５で示すセンターポンチ又は自動センターポンチのセンター決め部品一式の全体図である。
【考案を実施するための形態】
【０００９】
本考案は取付物体の取付穴に正確にネジ等をねじ込んだり、ドリルの刃で穿孔したりする際に、ネジ等やドリルの刃の先端が正確に取付穴の中心にくるよう、取付穴の中心の被取付物に正確に打痕をつける工具に関するものであるが、本考案の重要性が認められるのは次の２点の不具合が防止可能となることである。
【００１０】
１点目は、被取付物体が垂直方向と水平方向との２面を有する物体であるとき（例えば壁と天井の交わった部分）、交差する２面共に密着して取付物体を取付ける場合、例えば垂直方向に取付ける取付穴中心から上下方向にずれてネジの先端をねじ込んだ場合、取付物体は水平方向の面から離れるか密着しすぎることになって不具合を生じる。
【００１１】
２点目は、１つの取付物体を被取付物体にネジ等で取付ける場合、取付物体に２つ以上の取付穴が付いていた場合、各取付穴中心にネジ等の先端を当ててねじ込まないと、ネジ等を充分締め込んでもネジ等の頭が取付穴から飛び出して極めて見栄えが悪く、時には取付物が強固に取付けられないという不具合を生じる。
【００１２】
本考案は上述のような不具合を回避するために、簡易に又、経済的に安価に可能となるような作業を実施できるようになされたものである。
【実施例】
【００１３】
図１乃至図４は本考案の実施例の一つを示し、本考案の一つは、ポンチ本体６にポンチ先端棒５が固着されて構成されるポンチ、又はポンチ本体６にポンチ先端棒５がポンチ本体６の軸芯線上を可動となっている自動ポンチの先端部に、センター決めスリーブ１とスプリング機構１２とを装着してなるセンターポンチ又は自動センターポンチである。
【００１４】
スプリング機構１２は可動リング２及び固定側リング３と、それらに挟み込まれたスプリング４とで構成される。センター決めスリーブ１と可動リング２と固定側リング３とは、ポンチ先端棒５に挿入可能な内径を持つ円形の穴があいており、その直径はポンチ先端棒５の外径をほんのわずか上回る寸法となっているのでポンチ先端棒５をその穴に通して可動できる。
【００１５】
センター決めスリーブ１とスプリング４とポンチ本体６とは磁性体であり、可動リング２及び固定側リング３は磁化されているので、センター決めスリーブ１とスプリング機構１２とポンチ本体６とは密着して離れにくくなっている。
【００１６】
上記センターポンチ又は自動センターポンチで、取付物体７を被取付物体８に取付ける際に、取付物体７の取付穴９にセンター決めスリーブ１を挿入し、ポンチ本体６を先端方向に打ち込み（又は押し込み）、その力がポンチ先端棒先端部５Ａに伝わり、被取付物体８に打痕ができる。
【００１７】
その際、センター決めスリーブ１としてその外径が取付穴９の内径よりほんのわずか少ないものを選定して使用すると、取付穴センター１０に対応した被取付物体８の場所に打痕ができる。
【００１８】
図５は他の実施例である。カバー１１を装着すれば見栄えの良い工具となる。
【００１９】
図６はセンター決めスリーブ１とスプリング機構１２とを組合わせたセンター決め部品である。本部品は既存のポンチ又は自動ポンチに取付けて使用できるので、さらに経済的に有効活用が可能である。
【産業上の利用可能性】
【００２０】
本考案は、取付物体の取付穴の形状を問わず各種取付物体を被取付物体に簡単に取付られる機能を有する工具に関するものなので、あらゆる産業に利用可能であるとともに、日曜大工等のホビーや災害対策用等の用途としても利用可能である。
【符号の説明】
【００２１】
５Ｂ  ポンチ先端棒平行部
【図１】
0003184200.tif 000003
【図２】
0003184200.tif 000004
【図３】
0003184200.tif 000005
【図４】
0003184200.tif 000006
【図５】
0003184200.tif 000007
【図６】
0003184200.tif 000008
【手続補正書】
【提出日】平成25年4月4日(2013.4.4)
【手続補正１】
【補正対象書類名】実用新案登録請求の範囲
【補正対象項目名】全文
【補正方法】変更
【補正の内容】
【実用新案登録請求の範囲】
【請求項１】
センターポンチ又は自動センターポンチに用いられるセンター決め
部品であって、前記センター決め部品は、異なる外径を有するものと
交換可能なセンター決めスリーブと、スプリング機構とからなり、前
記スプリング機構は、可動リング及び固定側リングと、前記可動リン
グと前記固定側リングとの間に挟み込まれたスプリングとで構成され
、前記センター決めスリーブが、前記可動リングに隣接して備えられ
たセンター決め部品。
【請求項２】
先端部分に請求項１のセンター決め部品を装着したセンターポンチ
又は自動センターポンチ。